(57)【特許請求の範囲】
【請求項１】
一端が開口または閉塞された第１端部と、残りの片一端が開口された第２端部とを有する筒状の内ケースと、
一端が開口された第３端部と、残りの片一端が開口された第４端部とを有する筒状の外ケースとで構成され、
該第２端部の外面側に第１突起部が配置され、該第３端部の内面側に第２突起部が配置され、
該第２端部と該第３端部とが軸方向に嵌め合わされ、伸縮可能に設けられて、
伸長方向にて、該第１突起部と該第２突起部とが係止されて、外れないようにされていて、
該第４端部の内面側に第３突起部が配置され、
短縮方向にて、該第１突起部と該第３突起部とが係止されて、外れないようにされていることを特徴とする消しゴム用容器。
【請求項２】
前記内ケースと、前記外ケースとは、紙製であって、
前記第３突起部は、前記第４端部の内面側に該第４端部が折り返された第３片として設けられ、
または、
前記第３突起部は、前記第４端部の内面側に該第４端部が渦巻き状にされた第３片として設けられていることを特徴とする請求項１に記載の消しゴム用容器。
【発明の詳細な説明】
【技術分野】
【０００１】
本発明は、主に、筆記したり描いたりするときの補助にて、字消し用具、消しゴム、または字消し装置、そのための保持具に関し、特には、消しゴム用容器に関する。
【背景技術】
【０００２】
ケース付消しゴムの該ケース又はケース付消しゴムとして、次のようなものがある。１件目について記す。消しゴム５の一部をケース４から露出させて使用できるようにしたケース付消しゴム１であって、ケース４が、前方に開口部を有した透明樹脂から成るケース本体２と、消しゴム５を挟持する二つの挟持片３１と当該挟持片３１を後方で連接する連接部３２とを有する挟持体３とを備え、前記挟持片３１の外側面に前記ケース本体２の内面と当接する当接縁部３１１を設けると共に当該当接縁部３１１の内側に装飾用凹部３１２を設け、前記装飾用凹部３１２に装飾用シール６ａを貼り付け、前記消しゴム５を前記挟持体３の挟持片３１で挟持した上で当該挟持体３を前記ケース本体２に挿着することで、前記ケース本体２の外方より前記装飾用シール６ａを透過して視認できるようにしたことを特徴とするケース付消しゴム１で、前記挟持片３１の前方内面に前後方向に等間隔で並ぶ複数の突起部３１ａ、３１ｂ、３１ｃ、３１ｄ、３１ｅ、３１ｆを設け、前記消しゴム５を前記挟持片３１で挟持させ前記挟持体３を前記ケース本体２に挿着することで、前記挟持片３１の突起部３１ａ、３１ｂ、３１ｃ、３１ｄ、３１ｅ、３１ｆで前記消しゴム５の外面を圧接し、前記消しゴム５の外面に前記突起部３１ａ、３１ｂ、３１ｃ、３１ｄ、３１ｅ、３１ｆと鏡像形状である陥没部３１ａ’、３１ｂ’、３１ｃ’、３１ｄ’、３１ｅ’、３１ｆ’を形成することを特徴としたケース付消しゴム１（特許文献１参照）がある。また、次のようなものがある。次に、２件目について記す。消しゴム２の周辺を覆う消しゴムケース１において、消しゴムケース１にジャバラ部３を設けたことを特徴とする消しゴムケース１（特許文献２参照）がある。
【特許文献１】特開２０１３−９５０８９
【特許文献２】特開２００６−２３１８８６
【発明の開示】
【発明が解決しようとする課題】
【０００３】
第１の課題を記す。特許文献１にて、消しゴム５が擦り減ってきた際に、消しゴム５の突出量を調整するため、ケース本体２から挟持体３を引き出して、消しゴム５に対する挟持体３の挟持力を開放して、消しゴム５を前方へずらし、消しゴム５の陥没部３１ｄ’の位置に挟持片３１の突起部３１ａを合わせて、ケース本体２に挟持体３を戻せば、必要とする位置に、ケース４から消しゴム５を正確に繰り出すことが可能になる。しかしながら、先に記したように、ケース本体２から挟持体３を引き出して、消しゴム５に対する挟持体３の挟持力を開放して、消しゴム５を前方へずらし、消しゴム５の陥没部３１ｄ’の位置に挟持片３１の突起部３１ａを合わせて、ケース本体２に挟持体３を戻さなくてはならず、手間を要し、時間も要する、というという問題がある。前記問題を解消し、ケースから消しゴムを正確に繰り出すことが可能でありながら、手間が少なく、時間短縮もできる、消しゴム用容器を提供することを目的とする（課題１−１）。次に、第２の課題を記す。特許文献２にて、ケース１の空洞となった部分を指で保持しても、ジャバラ部３には充分な強度があり、ケース１を押し潰すことがない、と記載してある。つまり、言い換えると、特許文献２は、ケース１の空洞となった部分を指で保持しても、ケース１を押し潰すことがないようにするために、ジャバラ部３には充分な強度をもたせてある、ということになる。なお、通常の力にて、消しゴムで擦っても消えにくい場合等は、擦る力を大きくしようとするので、消しゴムを掴もうとする力も自然と大きくなり、結果、ジャバラ部３に加わる負荷も通常よりも大きくなる。このような場合のジャバラ部３に加わる負荷の最大値も考慮に入れる必要がある。よって、充分な強度を有するジャバラ部３を配するケース１は、例えば、肉厚を一部増加させるとか、材質変更をするとかによって、その部分または全体を堅牢な構造としなければならない。結果、コストが上がりやすい、という問題がある。前記問題を解消し、例えば、肉厚を一部増加等させて堅牢な構造としなくてもよく、また、できるだけコストが上がらない、消しゴム用容器を提供することを目的とする（課題１−２）。次に、第３の課題を記す。特許文献２にて、ジャバラ部３の凸の先端が鋭角状のため、ジャバラ部３の凸の先端を含めたジャバラ部３を指で保持した場合に、指に対する感触が必ずしも好ましいものとはいえないという、という問題がある。また、先に記したように、通常の力にて、消しゴムで擦っても消えにくい場合等は、擦る力を大きくしようとするので、消しゴムを掴もうとする力も自然と大きくなる。結果、このような場合、ジャバラ部３の凸の先端を含めたジャバラ部３を指で保持した場合に、指に対する負荷も通常より大きくなり、場合によっては、痛みに近い不快感を生じる可能性もある、という問題がある。前記問題を解消し、指で保持した場合に、指に対する不快感ができるだけ少ない、消しゴム用容器を提供することを目的とする（課題１−３）。次に、第４の課題を記す。特許文献２にて、同様に、先に記したように、例えば、肉厚を一部増加等させて堅牢な構造にすれば、ジャバラ部３を縮めたり、伸ばしたりするための必要とする負荷が大きくなり、使用する場合に大きな力を要する、という問題がある。前記問題を解消し、使用する場合に大きな力を特に必要としなくてもよい、消しゴム用容器を提供することを目的とする（課題１−４）。
【０００４】
また、加工に要する手間も少なく、材料費を含めた加工経費の増加を防ぐことができる、消しゴム用容器を提供することを目的とする（課題１−５）。また、リサイクルしやすく、環境への影響を低減できる、消しゴム用容器を提供することを目的とする（課題１−６）。
【課題を解決するための手段】
【０００５】
本発明によると上記課題は、次のようにして解決される。
一端が開口または閉塞された第１端部と、残りの片一端が開口された第２端部とを有する筒状の内ケースと、一端が開口された第３端部と、残りの片一端が開口された第４端部とを有する筒状の外ケースとで構成され、該第２端部の外面側に第１突起部が配置され、該第３端部の内面側に第２突起部が配置され、該第２端部と該第３端部とが軸方向に嵌め合わされ、伸縮可能に設けられて、伸長方向にて、該第１突起部と該第２突起部とが係止されて、外れないようにされていることを特徴とする消しゴム用容器とする。
【０００６】
前記第４端部の内面側に第３突起部が配置され、短縮方向にて、前記第１突起部と該第３突起部とが係止されて、外れないようにされていることを特徴とする前記消しゴム用容器とする。
【０００７】
前記内ケースと、前記外ケースとは、紙製であって、前記第１突起部は、前記第２端部の外面側に該第２端部が折り返された第１片として設けられ、または、前記第１突起部は、前記第２端部の外面側に該第２端部が渦巻き状にされた第１片として設けられ、または、前記第２突起部は、前記第３端部の内面側に該第３端部が折り返された第２片として設けられ、または、前記第２突起部は、前記第３端部の内面側に該第３端部が渦巻き状にされた第２片として設けられていることを特徴とする前記消しゴム用容器とする。  
【０００８】
前記内ケースと、前記外ケースとは、紙製であって、前記第３突起部は、前記第４端部の内面側に該第４端部が折り返された第３片として設けられ、または、前記第３突起部は、前記第４端部の内面側に該第４端部が渦巻き状にされた第３片として設けられていることを特徴とする前記消しゴム用容器とする。
【０００９】
前記第１片、前記第２片、前記第３片は各々接着して設けられていることを特徴とする前記消しゴム用容器とする。
【発明の効果】
【００１０】
本発明によれば、次のような効果を奏する。
（１）ケースから消しゴムを正確に繰り出すことが可能でありながら、手間が少なく、時間短縮もできる、という効果がある（効果１−１）。肉厚を一部増加等させて堅牢な構造としなくてもよい、コストが上がらなくて済む、という効果がある（効果１−２）。指で保持した場合に、指に対する不快感をできるだけ少なくすることができる、という効果がある（効果１−３）。使用する場合に大きな力を特に必要としなくてもよい、という効果がある（効果１−４）。また、内ケース、外ケースは、複雑な構造ではないので、加工に要する手間も少なく、材料費を含めた加工経費の増加を防ぐことができる、という効果がある（効果１−５）。第１突起部と第２突起部とが係止されるという機能を有するにもかかわらず、形成された突起状の高さを低くすることができる、という効果がある（効果１−７）（効果３−１）。手間が少なく、時間短縮もできることが可能でありながら、消しゴム本体の汚損防止をできるという効果がある（効果１−８）。
（２）ケースから消しゴムを正確に繰り出すことが可能でありながら、手間が少なく、時間短縮もできる、という効果がある（効果１−１）。肉厚を一部増加等させて堅牢な構造としなくてもよい、コストが上がらなくて済む、という効果がある（効果１−２）。指で保持した場合に、指に対する不快感をできるだけ少なくすることができる、という効果がある（効果１−３）。使用する場合に大きな力を特に必要としなくてもよい、という効果がある（効果１−４）。また、内ケース、外ケースは、複雑な構造ではないので、加工に要する手間も少なく、材料費を含めた加工経費の増加を防ぐことができる、という効果がある（効果１−５）。第１突起部と第３突起部とが係止されるという機能を有するにもかかわらず、形成された突起状の高さを低くすることができる、という効果がある（効果１−７−１）（効果３−１−１）。手間が少なく、時間短縮もできることが可能でありながら、消しゴム本体の汚損防止をできるという効果がある（効果１−８）。
（３）紙製であるので、内ケースと、外ケースとは、適度の摩擦力等を有し、適度の摩擦力等により、必要とする位置に、ケースから消しゴムを正確に繰り出すことができる、という効果がある（効果１−１−１）。また、紙製であるので、コストが上がらなくて済む、という効果がある（効果１−２−１）。また、内ケースと、外ケースとは、紙製であるので、適度の摩擦力等を有し、大きな摩擦力等とはならず、つまり、使用する場合に大きな力を特に必要としなくてもよい、という効果がある（効果１−４−１）。また、内ケース、外ケースは、紙製であり、複雑な構造ではないので、加工に要する手間も少なく、材料費を含めた加工経費の増加を防ぐことができる、という効果がある（効果１−５−１）。また、紙製であるので、リサイクルもしやすく、環境への影響を低減できる、という効果がある（効果１−６）。
（４）紙製であるので、内ケースと、外ケースとは、適度の摩擦力等を有し、適度の摩擦力等により、必要とする位置に、ケースから消しゴムを正確に繰り出すことができる、という効果がある（効果１−１−１）。また、紙製であるので、コストが上がらなくて済む、という効果がある（効果１−２−１）。また、内ケースと、外ケースとは、紙製であるので、適度の摩擦力等を有し、大きな摩擦力等とはならず、つまり、使用する場合に大きな力を特に必要としなくてもよい、という効果がある（効果１−４−１）。また、内ケース、外ケースは、紙製であり、複雑な構造ではないので、加工に要する手間も少なく、材料費を含めた加工経費の増加を防ぐことができる、という効果がある（効果１−５−１）。また、紙製であるので、リサイクルもしやすく、環境への影響を低減できる、という効果がある（効果１−６）。
（５）接着して設けられることで、内ケース、外ケースに各々取付けが確実にされるという効果がある（効果１−９）。
【発明を実施するための最良の形態】
【００１１】
以下に、添付図面に基づいて本発明の実施の形態について詳細に説明するが、本発明の範囲は、以下に説明される実施の形態に限定されるものではない。なお、効果については、前記（発明が解決しようとする課題）の項で記載した各課題に対応するかたちで記載してある。各課題に付した番号に対応した番号を記載してある。例えば、（発明が解決しようとする課題）の項の（課題１−１）に対応する効果は（効果１−１）というようにしてある。また、例えば、（効果１−１）の初めの数字「１」は実施例１を、後の数字は連番を表現している。
【００１２】
次に、当該明細書にて、記載の用語の意味等について補完する。「折り返す」について記す。「折り返す」については、広辞苑によると、折って２重にする、２重に折る、と記載がある。つまり、折って、重ねる、ということであると理解される。当該明細書では、折り返してあり、折って、重ねてある。または、折って、一部空洞を挟んで重ねてある。あるいは、折った後に、本体等が移動することによって、折ってある箇所が重なる。折った後に、本体等が移動することによって、折ってある箇所が接触して重なる。折った後に、本体等が押圧されることによって、折ってある箇所が接触して重なる。当該明細書では、折って、重ねる、ということの中に、それら全てを含む意味で表現してあり、記載してある。
【００１３】
本発明の一実施形態である、各実施例について記す。図について、一部、説明する。図１は、内ケース（８）に対して、外ケース（１４）を伸長方向（矢印Ｓ）に可動させた斜視図で、図４は、図１の断面図である。同様に、図２は、内ケース（８）に対して、外ケース（１４）を短縮方向（矢印Ｔ）に可動させた斜視図で、図５は、図２の断面図である。図７は、図４の一部分を拡大した部分拡大断面図で、第１突起部（１６Ａ）と第２突起部（１８Ａ）とが係止されている状態の図で、図６は、第１突起部（１６Ａ）と第２突起部（１８Ａ）とが、係止される前の状態、または、係止された後に解除された状態の図である。同様に、図９は、図５の一部分を拡大した部分拡大断面図で、第１突起部（１６Ａ）と第３突起部（２０Ａ）とが係止されている状態の図で、図８は、第１突起部（１６Ａ）と第３突起部（２０Ａ）とが、係止される前の状態、または、係止された後に解除された状態の図である。
【００１４】
次に、実施例１である、消しゴム用容器（１）について記す。実施例１である、消しゴム用容器（１）は、図１〜１０にて、次のようにしてある。内ケース（８）と、外ケース（１４）とは、紙製である。厚紙、ボール紙としてある。さらにセロハンでくるまれている。消しゴムに含有されている可塑剤による影響を防止するため紙製としてある。
【００１５】
図３にて、一端（２）が開口（３）された第１端部（４）と、残りの片一端（５）が開口された第２端部（６）とを有する筒状（７）の内ケース（８）としてある。また、一端（９）が開口された第３端部（１０）と、残りの片一端（１１）が開口された第４端部（１２）とを有する筒状（１３）の外ケース（１４）としてある。内ケース（８）と、外ケース（１４）とで構成されている。
【００１６】
図３〜７、１０にて、第２端部（６Ａ）（６Ｂ）の外面（１５Ａ）（１５Ｂ）側に第１突起部（１６Ａ）（１６Ｂ）が配置されている。内ケース（８）の外面（１５Ａ）（１５Ｂ）側に第１突起部（１６Ａ）（１６Ｂ）である凸部が配置されている。第３端部（１０Ａ）（１０Ｂ）の内面（１７Ａ）（１７Ｂ）側に第２突起部（１８Ａ）（１８Ｂ）が配置されている。外ケース（１４）の内面（１７Ａ）（１７Ｂ）側に第２突起部（１８Ａ）（１８Ｂ）である凸部が配置されている。
【００１７】
図３〜５、８〜１０にて、第４端部（１２Ａ）（１２Ｂ）の内面（１９Ａ）（１９Ｂ）側に第３突起部（２０Ａ）（２０Ｂ）が配置されている。外ケース（１４）の内面（１９Ａ）（１９Ｂ）側に第３突起部（２０Ａ）（２０Ｂ）である凸部が配置されている。
【００１８】
第１突起部（１６Ａ）（１６Ｂ）は、第２端部（６Ａ）（６Ｂ）の外面（１５Ａ）（１５Ｂ）側に第２端部（６Ａ）（６Ｂ）が折り返された第１片（２１Ａ）（２１Ｂ）として設けられている。第２突起部（１８Ａ）（１８Ｂ）は、第３端部（１０Ａ）（１０Ｂ）の内面（１７Ａ）（１７Ｂ）側に第３端部（１０Ａ）（１０Ｂ）が折り返された第２片（２２Ａ）（２２Ｂ）として設けられている。第３突起部（２０Ａ）（２０Ｂ）は、第４端部（１２Ａ）（１２Ｂ）の内面（１９Ａ）（１９Ｂ）側に第４端部（１２Ａ）（１２Ｂ）が折り返された第３片（２３Ａ）（２３Ｂ）として設けられている。第１突起部（１６Ａ）（１６Ｂ）、第２突起部（１８Ａ）（１８Ｂ）、第３突起部（２０Ａ）（２０Ｂ）は、紙の形状、材質を利用しながら、各々、折り返された第１片（２１Ａ）（２１Ｂ）、折り返された第２片（２２Ａ）（２２Ｂ）、折り返された第３片（２３Ａ）（２３Ｂ）として設けられていて、必要でない空間を省いていて、スペースに無駄がなく、効率良く突起状に形成されている。結果、第１突起部（１６Ａ）（１６Ｂ）、第２突起部（１８Ａ）（１８Ｂ）、第３突起部（２０Ａ）（２０Ｂ）の各々の高さは、高くならないようにすることができる。前記第１片（２１Ａ）（２１Ｂ）、前記第２片（２２Ａ）（２２Ｂ）、前記第３片（２３Ａ）（２３Ｂ）は各々接着して設けられている。第１片（２１Ａ）（２１Ｂ）、第２片（２２Ａ）（２２Ｂ）、第３片（２３Ａ）（２３Ｂ）の各々折り返してある面は接着してある。接着して固定して設けてある。接着して形成してある。粘着してある。接着して設けられることで、内ケース（８）、外ケース（１４）に各々取付けが確実にされるという効果がある（効果１−９）。また、第１突起部（１６Ａ）（１６Ｂ）、第２突起部（１８Ａ）（１８Ｂ）、第３突起部（２０Ａ）（２０Ｂ）は、渦を巻くようにしてある。巻く方向については限定しない。また、渦を巻くようにしてあるが、特に限定する必要はなく、巻くようにしなくてもよい。また、実施例１では、折り返してあるが、折り返さないで、第１突起部、第２突起部、第３突起部を形成してもよい。
【００１９】
第２端部（６）（６Ａ）（６Ｂ）と第３端部（１０）（１０Ａ）（１０Ｂ）とが軸方向（矢印Ｊ）に嵌め合わされている。内ケース（８）と外ケース（１４）とが軸方向（矢印Ｊ）に嵌め合わされている。なお、消しゴム用容器（１）内に収納される消しゴム（２５）の長さに応じて、内ケース（８）と外ケース（１４）とが嵌め合わされた消しゴム用容器（１）の長さが可変できる消しゴム用容器（１）であるが、軸方向（矢印Ｊ）とは、消しゴム用容器（１）の長さが可変される方向を指している。嵌め合わされている第２端部（６）（６Ａ）（６Ｂ）と第３端部（１０）（１０Ａ）（１０Ｂ）にて、嵌め合わされている内ケース（８）と外ケース（１４）にて、第１端部（４）と第４端部（１２）とが長手方向両側に位置するようにしてある。軸方向（矢印Ｊ）は、長手方向を指している。また、実施例１は、消しゴム用容器（１）が設けられている消しゴム用容器付き消しゴム（２４）としてある。
【００２０】
次に、実施例１である、係止具（１）の作用について、説明する。図１〜１０にて、嵌め合わされた該第２端部（６）と該第３端部（１０）とが軸方向（矢印Ｊ）に伸縮可能に設けられている。伸長方向（矢印Ｓ）にて、第１突起部（１６Ａ）（１６Ｂ）と第２突起部（１８Ａ）（１８Ｂ）とが係止されて、外れないようにされている。図１０にて、内ケース（８）の第１突起部（１６Ａ）（１６Ｂ）間の外寸法（Ｕ１）と、外ケース（１４）の内寸法（Ｕ２）とは、同じようにしてある。また、内ケース（８）の外寸法（Ｕ３）と、外ケース（１４）の第２突起部（１８Ａ）（１８Ｂ）間の内寸法（Ｕ４）とは、同じようにしてある。また、内ケース（８）の内寸法（Ｇ１）と、外ケース（１４）の第３突起部（２０Ａ）（２０Ｂ）間の内寸法（Ｇ２）と、消しゴム（２５）の寸法（Ｇ３）とは、同じようにしてある。なお、外寸法（Ｕ１）、内寸法（Ｕ２）に比べて、外寸法（Ｕ３）、内寸法（Ｕ４）は、短くしてある。外寸法（Ｕ３）、内寸法（Ｕ４）に比べて、内寸法（Ｇ１）、内寸法（Ｇ２）、寸法（Ｇ３）は、短くしてある。つまり、外寸法（Ｕ１）、内寸法（Ｕ２）＞外寸法（Ｕ３）、内寸法（Ｕ４）＞内寸法（Ｇ１）、内寸法（Ｇ２）、寸法（Ｇ３）としてある。図２、５にて、内ケース（８）の外面（１５Ａ）（１５Ｂ）を外ケース（１４）が、ほとんど覆い被さっている状態から、伸長方向（矢印Ｓ）へ、外ケース（１４）を移動させる。移動させると、第２突起部（１８Ａ）（１８Ｂ）が内ケース（８）の外面（１５Ａ）（１５Ｂ）に、第３突起部（２０Ａ）（２０Ｂ）が消しゴム（２５）の表面に、各々接して摺動する。なお、第２突起部（１８Ａ）（１８Ｂ）が内ケース（８）の外面（１５Ａ）（１５Ｂ）に、第３突起部（２０Ａ）（２０Ｂ）が消しゴム（２５）の表面に、各々接して摺動するので、移動させても、ガタつき等がなく、安定してスムーズに移動がおこなわれる。次に、図１、４にて、第１突起部（１６Ａ）（１６Ｂ）と第２突起部（１８Ａ）（１８Ｂ）とが当接し、保持され、掛止される。内ケース（８）の外面（１５Ａ）（１５Ｂ）側に配置されている第１突起部（１６Ａ）（１６Ｂ）である凸部と、外ケース（１４）の内面（１７Ａ）（１７Ｂ）側に配置されている第２突起部（１８Ａ）（１８Ｂ）である凸部とが係止される。外寸法（Ｕ１）と外寸法（Ｕ２）とは同じようにしてあり、また、外寸法（Ｕ１）より内寸法（Ｕ４）は、短くしてあるので、第１突起部（１６Ａ）（１６Ｂ）と第２突起部（１８Ａ）（１８Ｂ）とは、確実に当接し、保持され、掛止される。内ケース（８）の外面（１５Ａ）（１５Ｂ）側に配置されている第１突起部（１６Ａ）（１６Ｂ）である凸部と、外ケース（１４）の内面（１７Ａ）（１７Ｂ）側に配置されている第２突起部（１８Ａ）（１８Ｂ）である凸部とは、係合可能に設けられている。ストッパーとして作用する。移動範囲を設けて、超えないように制限してある。スライド自在として、抜けない構造としてある。
【００２１】
短縮方向（矢印Ｔ）にて、前記第１突起部（１６Ａ）（１６Ｂ）と該第３突起部（２０Ａ）（２０Ｂ）とが係止されて、外れないようにされている。図１、４にて、内ケース（８）の外面（１５Ａ）（１５Ｂ）を外ケース（１４）が、覆い被さっていない状態、つまり、消しゴム用容器（１）の長さが最大限に伸長した状態から、短縮方向（矢印Ｔ）へ、外ケース（１４）を移動させる。移動させると、第２突起部（１８Ａ）（１８Ｂ）が内ケース（８）の外面（１５Ａ）（１５Ｂ）に、第３突起部（２０Ａ）（２０Ｂ）が消しゴム（２５）に、各々接して摺動する。次に、図２、５にて、第１突起部（１６Ａ）（１６Ｂ）と第３突起部（２０Ａ）（２０Ｂ）とが当接し、保持され、掛止される。内ケース（８）の外面（１５Ａ）（１５Ｂ）側に配置されている第１突起部（１６Ａ）（１６Ｂ）である凸部と、外ケース（１４）の内面（１９Ａ）（１９Ｂ）側に配置されている第３突起部（２０Ａ）（２０Ｂ）である凸部とが係止される。外寸法（Ｕ１）と内寸法（Ｕ２）とは同じようにしてあり、外寸法（Ｕ１）より内寸法（Ｇ２）は短くしてあるので、第１突起部（１６Ａ）（１６Ｂ）と第３突起部（２０Ａ）（２０Ｂ）とは、確実に当接し、保持され、掛止される。内ケース（８）の外面（１５Ａ）（１５Ｂ）側に配置されている第１突起部（１６Ａ）（１６Ｂ）である凸部と、外ケース（１４）の内面（１９Ａ）（１９Ｂ）側に配置されている第３突起部（２０Ａ）（２０Ｂ）である凸部とは、係合可能に設けられている。ストッパーとして作用する。移動範囲を設けて、超えないように制限してある。スライド自在として、抜けない構造としてある。内ケース（８）と外ケース（１４）とが軸方向（矢印Ｊ）に伸縮可能に設けられ、伸長方向（矢印Ｓ）にて、第１突起部（１６Ａ）（１６Ｂ）と第２突起部（１８Ａ）（１８Ｂ）とが係止されて、外れないようにされていて、短縮方向（矢印Ｔ）にて、第１突起部（１６Ａ）（１６Ｂ）と第３突起部（２０Ａ）（２０Ｂ）とが係止されて、外れないようにされているので、消しゴム用容器（１）内に収納される消しゴム（２５）の長さに応じて消しゴム用容器（１）の長さが可変できる。また、消しゴム用容器（１）内に収納される消しゴム（２５）の全長に消しゴム用容器（１）の全長が近ければ近いほど、消しゴム（２５）の全長に近い長さ分が可変できる。
【００２２】
次に、通常の使用における、消しゴム（２５）が内ケース（８）との関係について記す。例えば、紙に書かれた文字を消しゴム（２５）で擦ったりする通常の使用中においては、消しゴム（２５）の表面と内ケース（８）の内面との間に摩擦力が発生する。あるいは、紙に書かれた文字を消しゴム（２５）で擦ったりする通常の使用中においては、内ケース（８）を手で掴んだ際には、手で押される圧力で消しゴム（２５）自体が押圧されるが、消しゴム（２５）が有する弾性による変形等で、内ケース（８）に反発する力等、つまり、消しゴム（２５）から内ケース（８）が抜け出したりしないように保持しようとする力が発生する、これらによって、消しゴム（２５）が内ケース（８）から、抜け出したり、脱落したりすることは少なくなる。内ケース（８）の一端（２）が開口（３）された、言いかえると、閉塞されていない第１端部（４）としてあるが、内ケース（８）の開口（３）された一端（２）から消しゴム（２５）が抜け出したり、脱落したりすることは少ない。内ケース（８）が紙製である場合は、紙によって反発する力も発生したりするので、さらに、抜け出したり、脱落したりすることが低減される。また、第４端部（１２）側も、第１端部（４）側と同じにしてあるので、第１端部（４）側と同様、外ケース（１４）の残りの片一端（１１）が開口された、言いかえると、閉塞されていない第４端部（１２）としてあるが、外ケース（１４）の開口された残りの片一端（１１）から消しゴム（２５）が抜け出したり、脱落したりすることは少ない。
【００２３】
また、次に、内ケース（８）に対して外ケース（１４）を移動させた場合の内ケース（８）と消しゴム（２５）との状態等について記す。内ケース（８）の外面（１５Ａ）（１５Ｂ）を外ケース（１４）が、ほとんど覆い被さっている状態から、伸長方向（矢印Ｓ）へ、外ケース（１４）を移動させる、あるいは、内ケース（８）の外面（１５Ａ）（１５Ｂ）を外ケース（１４）が、覆い被さっていない状態、つまり、消しゴム用容器（１）の長さが最大限に伸長した状態から、短縮方向（矢印Ｔ）へ、外ケース（１４）を移動させる場合に、内ケース（８）の外面（１５Ａ）（１５Ｂ）と外ケース（１４）の内面（１７Ａ）（１７Ｂ）（１９Ａ）（１９Ｂ）との間に摩擦力等が発生する。なお、この摩擦力等は過剰なものではなく、移動を妨げるものではなく、許容される範囲のものである。また、先に記したように、消しゴム（２５）の表面と内ケース（８）の内面との間に発生する摩擦力、あるいは、消しゴム（２５）が有する弾性による変形等で、内ケース（８）に反発して発生する力等、つまり、消しゴム（２５）から内ケース（８）を抜け出したりしないように保持しようとする力が別に発生する。以上、前者の移動させる場合に発生する摩擦力等と、後者の保持しようとする力等とを比較すると、前者の移動させる場合に発生する摩擦力等は、後者の保持しようとする力等より、小さいので、外ケース（１４）を移動させた場合に、内ケース（８）から消しゴム（２５）が抜け出したり、脱落したりすることはない。
【００２４】
先に記したように、第１突起部（１６Ａ）（１６Ｂ）、第２突起部（１８Ａ）（１８Ｂ）、第３突起部（２０Ａ）（２０Ｂ）は、紙の形状、材質を利用しながら、各々、折り返された第１片（２１Ａ）（２１Ｂ）、折り返された第２片（２２Ａ）（２２Ｂ）、折り返された第３片（２３Ａ）（２３Ｂ）として設けられていて、必要でない空間を省いていて、スペースに無駄がなく、効率良く突起状に形成されている。形成されているので、よって、第１突起部（１６Ａ）（１６Ｂ）と第２突起部（１８Ａ）（１８Ｂ）とが係止されるという機能を有するにもかかわらず、形成された突起状の高さを低くすることができる、という効果がある（効果１−７）。第１突起部（１６Ａ）（１６Ｂ）と第３突起部（２０Ａ）（２０Ｂ）とが係止されるという機能を有するにもかかわらず、形成された突起状の高さを低くすることができる、という効果がある（効果１−７−１）。また、内ケース（８）、外ケース（１４）は、複雑な構造ではないので、加工に要する手間も少なく、材料費を含めた加工経費の増加を防ぐことができる、という効果がある（効果１−５）。また、内ケース（８）、外ケース（１４）は、紙製であり、複雑な構造ではないので、加工に要する手間も少なく、材料費を含めた加工経費の増加を防ぐことができる、という効果がある（効果１−５−１）。また、紙製であるので、リサイクルもしやすく、環境への影響を低減できる、という効果がある（効果１−６）。また、手間が少なく、時間短縮もできることが可能でありながら、消しゴム本体の汚損防止をできるという効果がある（効果１−８）。
【００２５】
次に、引き続き、効果について記す。なお、重複するが、発明が解決しようとする課題、で記した課題に対応するように記載してある。第１の課題を記す。特許文献１にて、消しゴム５が擦り減ってきた際に、消しゴム５の突出量を調整するため、ケース本体２から挟持体３を引き出して、消しゴム５に対する挟持体３の挟持力を開放して、消しゴム５を前方へずらし、消しゴム５の陥没部３１ｄ’の位置に挟持片３１の突起部３１ａを合わせて、ケース本体２に挟持体３を戻せば、必要とする位置に、ケース４から消しゴム５を正確に繰り出すことが可能になる。しかしながら、先に記したように、ケース本体２から挟持体３を引き出して、消しゴム５に対する挟持体３の挟持力を開放して、消しゴム５を前方へずらし、消しゴム５の陥没部３１ｄ’の位置に挟持片３１の突起部３１ａを合わせて、ケース本体２に挟持体３を戻さなくてはならず、手間を要し、時間も要する、というという問題がある。前記問題を解消し、ケースから消しゴムを正確に繰り出すことが可能でありながら、手間が少なく、時間短縮もできる消しゴム用容器を提供することを目的とする（課題１−１）。最初に、第１の課題に対しての効果を記載する。先に述べたように、内ケース（８）の外面（１５Ａ）（１５Ｂ）を外ケース（１４）が、ほとんど覆い被さっている状態から、伸長方向（矢印Ｓ）へ、外ケース（１４）を移動させる、あるいは、内ケース（８）の外面（１５Ａ）（１５Ｂ）を外ケース（１４）が、覆い被さっていない状態、つまり、消しゴム用容器（１）の長さが最大限に伸長した状態から、短縮方向（矢印Ｔ）へ、外ケース（１４）を移動させる場合に、内ケース（８）の外面（１５Ａ）（１５Ｂ）と外ケース（１４）の内面（１７Ａ）（１７Ｂ）との間に摩擦力等が発生する。内ケース（８）の外面（１５Ａ）（１５Ｂ）と外ケース（１４）の内面（１７Ａ）（１７Ｂ）との間の摩擦力等は適度の摩擦力等である。先に記したように、移動させる場合に、第２突起部（１８Ａ）（１８Ｂ）が内ケース（８）の外面（１５Ａ）（１５Ｂ）に、第３突起部（２０Ａ）（２０Ｂ）が消しゴム（２５）の表面に、各々接して摺動するので、移動させても、ガタつき等がなく、安定してスムーズに移動がおこなわれる。安定して移動ができるので、必要とする位置に、ケースから消しゴムを正確に繰り出すことができる。また、外ケース（１４）を移動させるだけで、ケースから消しゴムを繰り出すことができ、手間が少なく、時間短縮が可能である。つまり、第１の課題に対して問題を解消し、ケースから消しゴムを正確に繰り出すことが可能でありながら、手間が少なく、時間短縮もできる、という効果がある（効果１−１）。また、紙製であるので、内ケース（８）と、外ケース（１４）とは、適度の摩擦力等を有し、適度の摩擦力等により、必要とする位置に、ケースから消しゴムを正確に繰り出すことができる、という効果がある（効果１−１−１）。次に、第２の課題を記す。特許文献２にて、ケース１の空洞となった部分を指で保持しても、ジャバラ部３には充分な強度があり、ケース１を押し潰すことがない、と記載してある。つまり、言い換えると、特許文献２は、ケース１の空洞となった部分を指で保持しても、ケース１を押し潰すことがないようにするために、ジャバラ部３には充分な強度をもたせてある、ということになる。なお、通常の力にて、消しゴムで擦っても消えにくい場合等は、擦る力を大きくしようとするので、消しゴムを掴もうとする力も自然と大きくなり、結果、ジャバラ部３に加わる負荷も通常よりも大きくなる。このような場合のジャバラ部３に加わる負荷の最大値も考慮に入れる必要がある。よって、充分な強度を有するジャバラ部３を配するケース１は、例えば、肉厚を一部増加させるとか、材質変更をするとかによって、その部分または全体を堅牢な構造としなければならない。結果、コストが上がりやすい、という問題がある。前記問題を解消し、例えば、肉厚を一部増加等させて堅牢な構造としなくてもよく、また、できるだけコストが上がらない消しゴム用容器を提供することを目的とする（課題１−２）。次に、第２の課題に対しての効果を記載する。先に記したように、第１突起部（１６Ａ）（１６Ｂ）、第２突起部（１８Ａ）（１８Ｂ）、第３突起部（２０Ａ）（２０Ｂ）は、紙の形状、材質を利用しながら、各々、折り返された第１片（２１Ａ）（２１Ｂ）、折り返された第２片（２２Ａ）（２２Ｂ）、折り返された第３片（２３Ａ）（２３Ｂ）として設けられていて、必要でない空間を省いていて、スペースに無駄がなく、効率良く突起状に形成されているので、形成された突起状の高さを低くすることができる。よって、外ケース（１４）と消しゴム（２５）の間に生じる空洞は僅かである。外ケース（１４）と消しゴム（２５）の間に生じる空洞は僅かであり、また、内ケース（８）と消しゴム（２５）の間に生じる空洞はなく、そして、内ケース（８）および外ケース（１４）の表面は平滑に形成されているので、指で保持しても、内ケース（８）および外ケース（１４）を押し潰すようなことはない。通常の力にて、消しゴムで擦っても消えにくい場合等は、擦る力を大きくしようとするので、消しゴムを掴もうとする力も自然と大きくなり、結果、内ケース（８）および外ケース（１４）に加わる負荷も通常よりも大きくなるが、同様に、押し潰すようなことはない。つまり、第２の課題に対して問題を解消し、例えば、肉厚を一部増加等させて堅牢な構造としなくてもよい、コストが上がらなくて済む、という効果がある（効果１−２）。また、紙製であるので、コストが上がらなくて済む、という効果がある（効果１−２−１）。次に、第３の課題を記す。特許文献２にて、ジャバラ部３の凸の先端が鋭角状のため、ジャバラ部３の凸の先端を含めたジャバラ部３を指で保持した場合に、指に対する感触が必ずしも好ましいものとはいえないという、という問題がある。また、先に記したように、通常の力にて、消しゴムで擦っても消えにくい場合等は、擦る力を大きくしようとするので、消しゴムを掴もうとする力も自然と大きくなる。結果、このような場合、ジャバラ部３の凸の先端を含めたジャバラ部３を指で保持した場合に、指に対する負荷も通常より大きくなり、場合によっては、痛みに近い不快感を生じる可能性もある、という問題がある。前記問題を解消し、指で保持した場合に、指に対する不快感ができるだけ少ない消しゴム用容器を提供することを目的とする（課題１−３）。次に、第３の課題に対しての効果を記載する。内ケース（８）と外ケース（１４）とが嵌め合わされた状態の場合、第１突起部（１６Ａ）（１６Ｂ）、第２突起部（１８Ａ）（１８Ｂ）、第３突起部（２０Ａ）（２０Ｂ）が、内ケース（８）あるいは外ケース（１４）より外側に出ていない。出ていないので、内ケース（８）の外面（１５Ａ）（１５Ｂ）を外ケース（１４）が、ほとんど覆い被さっている状態から、伸長方向（矢印Ｓ）へ、外ケース（１４）を移動させる、あるいは、内ケース（８）の外面（１５Ａ）（１５Ｂ）を外ケース（１４）が、覆い被さっていない状態、つまり、消しゴム用容器（１）の長さが最大限に伸長した状態から、短縮方向（矢印Ｔ）へ、外ケース（１４）を移動させる場合に、各ケースの表面がフラットであり、異物感がなく、消しゴム用容器（１）を手で掴んだ際に手触りに異質性等を感じさせることなくスムーズに動作させることができる。また、先に記したように、通常の力にて、消しゴムで擦っても消えにくい場合等は、擦る力を大きくしようとするので、消しゴムを掴もうとする力も自然と大きくなるが、このような場合でも、指に対する不快感を生じることがない。つまり、第３の課題に対して問題を解消し、指で保持した場合に、指に対する不快感をできるだけ少なくすることができる、という効果がある（効果１−３）。次に、第４の課題を記す。特許文献２にて、同様に、先に記したように、例えば、肉厚を一部増加等させて堅牢な構造にすれば、ジャバラ部３を縮めたり、伸ばしたりするための必要とする負荷が大きくなり、使用する場合に大きな力を要する、という問題がある。前記問題を解消し、使用する場合に大きな力を特に必要としなくてもよい消しゴム用容器を提供することを目的とする（課題１−４）。次に、第４の課題に対しての効果を記載する。先に述べたように、外ケース（１４）を移動させるだけで、ケースから消しゴムを繰り出すことができ、また、内ケース（８）と、外ケース（１４）とは、適度の摩擦力等を有し、大きな摩擦力等とはならない。つまり、第４の課題に対して問題を解消し、使用する場合に大きな力を特に必要としなくてもよい、という効果がある（効果１−４）。また、内ケース（８）と、外ケース（１４）とは、紙製であるので、適度の摩擦力等を有し、大きな摩擦力等とはならない。つまり、第４の課題に対して問題を解消し、使用する場合に大きな力を特に必要としなくてもよい、という効果がある（効果１−４−１）。以上のような顕著な効果を本発明は達成する。本発明は、容易に想到できるものではなく、また、当業者が容易になし得るものではないと確信する。
【００２６】
次に、実施例２である、消しゴム用容器（１ａ）について記す。実施例２である、消しゴム用容器（１ａ）は、実施例１である、消しゴム用容器（１）にて、次のようにしてある。実施例１の、開口（３）された第１端部（４）、に代えて、図１１、１２にて、次のようにしてある。閉塞（２６）された第１端部（４ａ）としてある。筒状（７ａ）の内ケース（８ａ）の一端（２ａ）である第１端部（４ａ）を閉塞（２６）してある。そのほかは、実施例１である、消しゴム用容器（１）と同様にしてある。内ケース（８ａ）の一端（２ａ）が閉塞（２６）された、つまり、開口されていない第１端部（４ａ）としてあるので、一端（２ａ）から消しゴム（２５）が抜け出したり、脱落したりすることはない、という効果がある（効果２−１）。その他の効果については、実施例１と同程度である。また、特に図示しないが、次のようにしてもよい。実施例２である、消しゴム用容器（１ａ）にて、閉塞（２６）された第１端部（４ａ）の一部分を開口してもよい。閉塞（２６）された第１端部（４ａ）の一部分を切り抜いて加工してもよい。
【００２７】
次に、実施例３である、消しゴム用容器（１ｂ）について記す。実施例３である、消しゴム用容器（１ｂ）は、実施例１である、消しゴム用容器（１）にて、次のようにしてある。実施例１の、第１突起部（１６Ａ）は、第２端部（６Ａ）の外面（１５Ａ）側に第２端部（６Ａ）が折り返された第１片（２１Ａ）として設けられ、に代えて、図１３にて、次のようにしてある。第１突起部（１６ｂＡ）は、第２端部（６ｂＡ）の外面側に第２端部（６ｂＡ）が折り返された第１片（２１ｂＡ）として設けられ、としてある。また、実施例１の、第２突起部（１８Ａ）は、第３端部（１０Ａ）の内面（１７Ａ）側に第３端部（１０Ａ）が折り返された第２片（２２Ａ）として設けられ、に代えて、次のようにしてある。第２突起部（１８ｂＡ）は、第３端部（１０ｂＡ）の内面側に第３端部（１０ｂＡ）が折り返された第２片（２２ｂＡ）として設けられ、としてある。また、特に図示しないが、他の第１片、第２片、第３片も同様としてある。実施例１と同様に、第１突起部（１６ｂＡ）、第２突起部（１８ｂＡ）等は、紙の形状、材質を利用しながら設けられていて、必要でない空間を省いていて、スペースに無駄がなく、効率良く突起状に形成されている。結果、第１突起部（１６ｂＡ）、第２突起部（１８ｂＡ）等の各々の高さは、高くならないようにすることができる。よって、実施例１と同様に、第１突起部（１６ｂＡ）と第２突起部（１８ｂＡ）とが係止される等という機能を有するにもかかわらず、形成された突起状の高さを低くすることができる、という効果がある（効果３−１）。第１突起部（１６ｂＡ）と第３突起部とが係止される等という機能を有するにもかかわらず、形成された突起状の高さを低くすることができる、という効果がある（効果３−１−１）。また、第１突起部（１６ｂＡ）、第２突起部（１８ｂＡ）等は、互い違いに折り返すようにコ字状にしてある。その他の効果については、実施例１と同程度である。
【００２８】
次に、実施例４である、消しゴム用容器（１ｃ）について記す。実施例４である、消しゴム用容器（１ｃ）は、実施例１である、消しゴム用容器（１）にて、次のようにしてある。実施例１の、第１突起部（１６Ａ）は、第２端部（６Ａ）の外面（１５Ａ）側に第２端部（６Ａ）が折り返された第１片（２１Ａ）として設けられ、に代えて、図１４にて、次のようにしてある。第１突起部（１６ｃＡ）は、第２端部（６ｃＡ）の外面側に第２端部（６ｃＡ）が渦巻き状にされた第１片（３０）として設けられ、としてある。また、実施例１の、第２突起部（１８Ａ）は、第３端部（１０Ａ）の内面（１７Ａ）側に第３端部（１０Ａ）が折り返された第２片（２２Ａ）として設けられ、に代えて、次のようにしてある。第２突起部（１８ｃＡ）は、第３端部（１０ｃＡ）の内面側に第３端部（１０ｃＡ）が渦巻き状にされた第２片（３１）として設けられ、としてある。また、特に図示しないが、実施例１の、第３突起部（２０Ａ）は、第４端部（１２Ａ）の内面（１９Ａ）側に第４端部（１２Ａ）が折り返された第３片（２３Ａ）として設けられ、に代えて、次のようにしてある。第３突起部（２０ｃＡ）は、第４端部（１２ｃＡ）の内面（１９ｃＡ）側に第４端部（１２ｃＡ）が渦巻き状にされた第３片（３２）として設けられ、としてある。また、特に図示しないが、他の第１片、第２片、第３片も同様としてある。また、第１突起部（１６ｃＡ）、第２突起部（１８ｃＡ）等は、渦巻き状にしてあるが、巻く方向については特に限定しない。
【００２９】
なお、実施例４である、消しゴム用容器（１ｃ）については、次にようにも記載できる。実施例１の、第１突起部（１６Ａ）は、第２端部（６Ａ）の外面（１５Ａ）側に第２端部（６Ａ）が折り返された第１片（２１Ａ）として設けられ、に代えて、図１４にて、次のようにしてある。第１突起部（１６ｃＡ）は、第２端部（６ｃＡ）の外面側に第２端部（６ｃＡ）が折り返された第１片（２１ｃＡ）として設けられ、としてある。また、実施例１の、第２突起部（１８Ａ）は、第３端部（１０Ａ）の内面（１７Ａ）側に第３端部（１０Ａ）が折り返された第２片（２２Ａ）として設けられ、に代えて、次のようにしてある。第２突起部（１８ｃＡ）は、第３端部（１０ｃＡ）の内面側に第３端部（１０ｃＡ）が折り返された第２片（２２ｃＡ）として設けられ、としてある。また、特に図示しないが、また、実施例１の、第３突起部（２０Ａ）は、第４端部（１２Ａ）の内面（１９Ａ）側に第４端部（１２Ａ）が折り返された第３片（２３Ａ）として設けられ、に代えて、次のようにしてある。第３突起部（２０ｃＡ）は、第４端部（１２ｃＡ）の内面（１９ｃＡ）側に第４端部（１２ｃＡ）が折り返された第３片（２３ｃＡ）として設けられ、としてある。また、特に図示しないが、他の第１片、第２片、第３片も同様としてある。また、第１突起部（１６ｃＡ）、第２突起部（１８ｃＡ）等は、およそ渦巻き状に折り返すようにしてある。あるいは、内ケースの外面を外ケース（１４ｃ）が、ほとんど覆い被さっている状態から、伸長方向（矢印Ｓ）へ、外ケース（１４ｃ）を移動させる、内ケースの外面を外ケース（１４ｃ）が、覆い被さっていない状態、つまり、消しゴム用容器（１ｃ）の長さが最大限に伸長した状態から、短縮方向（矢印Ｔ）へ、外ケース（１４ｃ）を移動させる場合、接触、押圧などの負荷により、渦巻き状の第１突起部（１６ｃＡ）、第２突起部（１８ｃＡ）等に折り目がつくこともある。この場合、渦巻き状の第１突起部（１６ｃＡ）、第２突起部（１８ｃＡ）等は、折り返された状態となっている。渦巻き状にするということは、折り返すということと、ほぼ同等であり、大きな差異はないと言える。実施例４は、実施例１に比べて、やや円形状にしてある。やや円形状にしてあるので、内ケースと外ケースとが嵌め合わされる場合に、抵抗が少なく、嵌め合わせしやすい、という効果がある（効果４−1）。効果も、ほぼ同等である。
【００３０】
次に、実施例５である、消しゴム用容器（１ｄ）について記す。実施例５である、消しゴム用容器（１ｄ）は、実施例１である、消しゴム用容器（１）にて、次のようにしてある。実施例１の、内ケース（８）と、外ケース（１４）とは、紙製、に代えて、次のようにしてある。合成樹脂で構成してある。実施例１の、第２端部（６Ａ）の外面（１５Ａ）側に第１突起部（１６Ａ）が配置され、に代えて、図１５にて、次のようにしてある。第２端部（６ｄＡ）の外面側に第１突起部（１６ｄＡ）が配置され、としてある。また、実施例１の、第３端部（１０Ａ）の内面（１７Ａ）側に第２突起部（１８Ａ）が配置され、に代えて、次のようにしてある。第３端部（１０ｄＡ）の内面側に第２突起部（１８ｄＡ）が配置され、としてある。特に図示しないが、他の第１突起部、第２突起部、第３突起部についても同様にしてある。また、特に図示しないが、材料については、この限りではなく、弾性のあるものなど、適宜、他の材料を選択してもよい。なお、第１突起部、第２突起部、第３突起部の形状は、特に限定するものではなく、係止できればよい。例えば、断面三角形状でもよい。
【００３１】
次に、実施例６である、消しゴム用容器（１ｅ）について記す。実施例６である、消しゴム用容器（１ｅ）は、実施例１である、消しゴム用容器（１）にて、次のようにしてある。実施例１の、内ケース（８）と、外ケース（１４）とは、紙製、に代えて、次のようにしてある。合成樹脂で構成してある。実施例１の、第２端部（６Ａ）の外面（１５Ａ）側に第１突起部（１６Ａ）が配置され、に代えて、図１６にて、次のようにしてある。第２端部（６ｅＡ）の外面側に第１突起部（１６ｅＡ）が配置され、としてある。また、実施例１の、第３端部（１０Ａ）の内面（１７Ａ）側に第２突起部（１８Ａ）が配置され、に代えて、次のようにしてある。第３端部（１０ｅＡ）の内面側に第２突起部（１８ｅＡ）が配置され、としてある。特に図示しないが、他の第１突起部、第２突起部、第３突起部についても同様にしてある。
【００３２】
次に、実施例７である、消しゴム用容器（１ｆ）について記す。実施例７である、消しゴム用容器（１ｆ）は、実施例１である、消しゴム用容器（１）にて、次のようにしてある。実施例１の、内ケース（８）と、外ケース（１４）と、に代えて、図１７，１８にて、内ケース（８ｆ）と、外ケース（１４ｆ）と、にしてある。内ケース（８ｆ）、外ケース（１４ｆ）にイラストを描いてある。外ケース（１４ｆ）を移動することによって、イラストに動きをもたせることができる。
【００３３】
次に、実施例８である、消しゴム用容器（１ｈ）について記す。実施例８である、消しゴム用容器（１ｈ）は、実施例３である、消しゴム用容器（１ｂ）にて、次のようにしてある。実施例３の、第１突起部（１６ｂＡ）は、第２端部（６ｂＡ）の外面側に第２端部（６ｂＡ）が折り返された第１片（２１ｂＡ）として設けられ、に代えて、図１９にて、次のようにしてある。第１突起部（１６ｈＡ）は、第２端部（６ｈＡ）の外面側に第２端部（６ｈＡ）が折り返された第１片（２１ｈＡ）として設けられ、としてある。また、実施例３の、第２突起部（１８ｂＡ）は、第３端部（１０ｂＡ）の内面側に第３端部（１０ｂＡ）が折り返された第２片（２２ｂＡ）として設けられ、に代えて、次のようにしてある。第２突起部（１８ｈＡ）は、第３端部（１０ｈＡ）の内面側に第３端部（１０ｈＡ）が折り返された第２片（２２ｈＡ）として設けられ、としてある。また、特に図示しないが、他の第１片、第２片、第３片も同様としてある。また、第１突起部（１６ｈＡ）、第２突起部（１８ｈＡ）等は、互い違いに折り返すようにコ字状にしてあるが、実施例３の第１突起部（１６ｂＡ）、第２突起部（１８ｂＡ）等に対して、方向を換えてある。効果については、実施例３と同程度である。
【００３４】
次に、実施例９である、消しゴム用容器（１ｊ）について記す。実施例９である、消しゴム用容器（１ｊ）は、実施例８である、消しゴム用容器（１ｈ）にて、次のようにしてある。実施例８の、第１突起部（１６ｈＡ）は、第２端部（６ｈＡ）の外面側に第２端部（６ｈＡ）が折り返された第１片（２１ｈＡ）として設けられ、に代えて、図２０にて、次のようにしてある。第１突起部（１６ｊＡ）は、第２端部（６ｊＡ）の外面側に第２端部（６ｊＡ）が折り返された第１片（２１ｊＡ）として設けられ、としてある。また、実施例８の、第２突起部（１８ｈＡ）は、第３端部（１０ｈＡ）の内面側に第３端部（１０ｈＡ）が折り返された第２片（２２ｈＡ）として設けられ、に代えて、次のようにしてある。第２突起部（１８ｊＡ）は、第３端部（１０ｊＡ）の内面側に第３端部（１０ｊＡ）が折り返された第２片（２２ｊＡ）として設けられ、としてある。また、特に図示しないが、他の第１片、第２片、第３片も同様としてある。また、第１突起部（１６ｊＡ）、第２突起部（１８ｊＡ）等は、実施例８と同様、互い違いに折り返すようにコ字状にしてあるが、実施例９の第１突起部（１６ｊＡ）、第２突起部（１８ｊＡ）等は、折り返す面の間に空洞（２７）を各々設けてある。折って、一部空洞を挟んで重ねてある折り返し片としてある。内ケースの外面を外ケース（１４ｊ）が、ほとんど覆い被さっている状態から、伸長方向（矢印Ｓ）へ、外ケース（１４ｊ）を移動させる、あるいは、内ケースの外面を外ケース（１４ｊ）が、覆い被さっていない状態、つまり、消しゴム用容器（１ｊ）の長さが最大限に伸長した状態から、短縮方向（矢印Ｔ）へ、外ケース（１４ｊ）を移動させると、各々の空洞（２７）は、押圧されて一部押し潰されたようになり、移動時は、折ってある箇所が接触して重なった状態となる折り返し片としてある。効果については、実施例８と同程度である。
【００３５】
次に、実施例１０である、消しゴム用容器（１ｋ）について記す。実施例１０である、消しゴム用容器（１ｋ）は、実施例１である、消しゴム用容器（１）にて、次のようにしてある。実施例１の、第２端部（６Ａ）（６Ｂ）の外面（１５Ａ）（１５Ｂ）側に第１突起部（１６Ａ）（１６Ｂ）が配置され、に代えて、図２１〜２２にて、次のようにしてある。第２端部（６ｋＡ）（６ｋＢ）の外面側に第１突起部（１６ｋＡ）（１６ｋＢ）が配置され、としてある。また、実施例１の、第３端部（１０Ａ）の内面（１７Ａ）側に第２突起部（１８Ａ）が配置され、に代えて、次のようにしてある。第３端部（１０ｋＡ）の内面側に第２突起部（１８ｋＡ）が配置され、としてある。また、特に図示しないが、他の第１突起部、第２突起部、第３突起部も同様としてある。また、第１突起部（１６ｋＡ）、第２突起部（１８ｋＡ）等は、実施例９と同様、空洞（２７ｋ）を各々設けてある。実施例１０の、第１突起部（１６ｋＡ）、第２突起部（１８ｋＡ）等は、次のようにしてある。紙の平面上に、例えば、ハトメパンチなどのようなものを使用して、やや円柱状に窪みを作るような形状で凸部が配置されている。内ケース（８ｋ）の外面を外ケース（１４ｋ）が、ほとんど覆い被さっている状態から、伸長方向（矢印Ｓ）へ、外ケース（１４ｋ）を移動させる、あるいは、内ケース（８ｋ）の外面を外ケース（１４ｋ）が、覆い被さっていない状態、つまり、消しゴム用容器（１ｋ）の長さが最大限に伸長した状態から、短縮方向（矢印Ｔ）へ、外ケース（１４ｋ）を移動させると、実施例９と同様に、各々の空洞（２７ｋ）は、押圧されて一部押し潰されたようになり、移動時は、接触して一部重なった状態となる。断面的に見ると、折り返してある折り返し片と同じであり、断面的には、折り返してある折り返し片とも言える。効果については、実施例９と同程度である。
【００３６】
次に、実施例１１である、消しゴム用容器（１ｎ）について記す。実施例１１である、消しゴム用容器（１ｎ）は、実施例１である、消しゴム用容器（１）にて、次のようにしてある。実施例１の、第１突起部（１６Ａ）は、第２端部（６Ａ）の外面側に第２端部（６Ａ）が折り返された第１片（２１Ａ）として設けられ、に代えて、図２３にて、次のようにしてある。第１突起部（１６ｎＡ）は、第２端部（６ｎＡ）の外面側に、切断した紙を積層した第１片（２８）として設けられ、としてある。また、実施例１の、第２突起部（１８Ａ）は、第３端部（１０Ａ）の内面側に第３端部（１０Ａ）が折り返された第２片（２２Ａ）として設けられ、に代えて、次のようにしてある。第２突起部（１８ｎＡ）は、第３端部（１０ｎＡ）の内面側に、切断した紙を積層した第２片（２９）として設けられ、としてある。また、特に図示しないが、他の第１片、第２片、第３片も同様としてある。第１片（２８）、第２片（２９）等は、切断した紙の面同士を接着し、積層して形成してある。効果については、実施例１と同程度である。
【００３７】
次に、実施例１２である、消しゴム用容器（１ｍ）について記す。実施例１２である、消しゴム用容器（１ｍ）は、実施例１である、消しゴム用容器（１）にて、次のようにしてある。実施例１の、第１突起部（１６Ａ）（１６Ｂ）は、第２端部（６Ａ）（６Ｂ）の外面（１５Ａ）（１５Ｂ）側に第２端部（６Ａ）（６Ｂ）が折り返された第１片（２１Ａ）（２１Ｂ）として設けられ、に代えて、図２４にて、次のようにしてある。第１突起部（１６ｍＡ）（１６ｍＢ）（１６ｍＣ）（１６ｍＤ）は、第２端部（６ｍＡ）（６ｍＢ）（６ｍＣ）（６ｍＤ）の外面側に第２端部（６ｍＡ）（６ｍＢ）（６ｍＣ）（６ｍＤ）が折り返された第１片（２１ｍＡ）（２１ｍＢ）（２１ｍＣ）（２１ｍＤ）として設けられ、としてある。また、特に図示しないが、他の第２片、第３片も同様としてある。
【００３８】
また、詳細には特に図示しないが、次のようにしてもよい。実施例１にて、第２端部（６Ａ）（６Ｂ）の外面（１５Ａ）（１５Ｂ）側に第１突起部（１６Ａ）（１６Ｂ）が配置され、について、次のようにしてもよい。図３にて、第２端部（６Ｃ）（６Ｄ）の外面側に第１突起部が配置され、としてもよい。第２端部（６Ａ）（６Ｂ）、に代えて、第２端部（６Ｃ）（６Ｄ）、としてもよい。また、同様に、第３端部（１０Ｃ）（１０Ｄ）の内面側に突起部が配置されてもよい。第４端部（１２Ｃ）（１２Ｄ）の内面側に突起部が配置されてもよい。あるいは、第２端部（６Ａ）、第３端部（１０Ａ）、第４端部（１２Ａ）に突起部が配置されてもよい。つまり、各端部毎に１箇所のみ突起部を設けてもよい。この場合、内ケースの外面を外ケースが、ほとんど覆い被さっている状態から、伸長方向（矢印Ｓ）へ、外ケースを移動させる、あるいは、内ケースの外面を外ケースが、覆い被さっていない状態、つまり、消しゴム用容器の長さが最大限に伸長した状態から、短縮方向（矢印Ｔ）へ、外ケースを移動させる場合でも、動作は問題ない。また、特に図示しないが、次のようにしてもよい。実施例１にて、内ケース（８）の外面（１５Ａ）（１５Ｂ）側に第１突起部（１６Ａ）（１６Ｂ）である凸部が配置され、外ケース（１４）の内面（１７Ａ）（１７Ｂ）側に第２突起部（１８Ａ）（１８Ｂ）である凸部が配置され、外ケース（１４）の内面（１９Ａ）（１９Ｂ）側に第３突起部（２０Ａ）（２０Ｂ）である凸部が配置され、に代えて、次のようにしてもよい。内ケース（８）の外面（１５Ａ）（１５Ｂ）側に第１突起部（１６Ａ）（１６Ｂ）である凸部が配置され、外ケース（１４）の内面（１７Ａ）（１７Ｂ）側に第２突起部である凹部が配置され、外ケース（１４）の内面（１９Ａ）（１９Ｂ）側に第３突起部である凹部が配置され、としてもよい。あるいは、内ケース（８）の外面（１５Ａ）（１５Ｂ）側に第１突起部である凹部が配置され、外ケース（１４）の内面（１７Ａ）（１７Ｂ）側に第２突起部（１８Ａ）（１８Ｂ）である凸部が配置され、外ケース（１４）の内面（１９Ａ）（１９Ｂ）側に第３突起部（２０Ａ）（２０Ｂ）である凸部が配置され、としてもよい。凹部と凸部とが係合可能に設けられている。凹部と凸部とが係止可能に設けられている。あるいは、内ケース（８）の外面（１５Ａ）（１５Ｂ）側に第１突起部である凹部が配置され、外ケース（１４）の内面（１７Ａ）（１７Ｂ）側に第２突起部である凹部が配置され、外ケース（１４）の内面（１９Ａ）（１９Ｂ）側に第３突起部である凹部が配置され、としてもよい。凹部と凹部とが係合可能に設けられている。凹部と凹部とが係止可能に設けられている。凹部は、コ字状、Ｕ字状にしてある。また、特に図示しないが、次のようにしてもよい。実施例１にて、筒状（７）の内ケース（８）、筒状（１３）の外ケース（１４）、にて、次のようにしてもよい。断面多角形の筒状、角筒状、としてもよい。また、特に図示しないが、次のようにしてもよい。第１突起部、第２突起部、第３突起部を、内ケース、外ケースの各々の角に設けてもよい。
【図面の簡単な説明】
【００３９】
【図１】実施例１の斜視図。
【図２】実施例１の斜視図。
【図３】実施例１の分解図。
【図４】実施例１の断面図。
【図５】実施例１の断面図。
【図６】実施例１の部分拡大断面図。
【図７】実施例１の部分拡大断面図。
【図８】実施例１の部分拡大断面図。
【図９】実施例１の部分拡大断面図。
【図１０】実施例１の分解断面図。
【図１１】実施例２の断面図。
【図１２】実施例２の部分分解図。
【図１３】実施例３の部分拡大断面図。
【図１４】実施例４の部分拡大断面図。
【図１５】実施例５の部分拡大断面図。
【図１６】実施例６の部分拡大断面図。
【図１７】実施例７の動作図。
【図１８】実施例７の動作図。
【図１９】実施例８の部分拡大断面図。
【図２０】実施例９の部分拡大断面図。
【図２１】実施例１０の部分分解図。
【図２２】実施例１０の部分拡大断面図。
【図２３】実施例１１の部分拡大断面図。
【図２４】実施例１２の部分分解図。
【００４０】
（１）        実施例１
（１ａ）      実施例２
（１ｂ）      実施例３
（１ｃ）      実施例４
（１ｄ）      実施例５
（１ｅ）      実施例６
（１ｆ）      実施例７
（１ｈ）      実施例８
（１ｊ）      実施例９
（１ｋ）      実施例１０
（１ｎ）      実施例１１
（１ｍ）      実施例１２
（２）一端
（３）開口
（４）第１端部
（５）残りの片一端
（６）第２端部
（７）筒状
（８）内ケース
（９）一端
（１０）第３端部
（１１）残りの片一端
（１２）第４端部
（１３）筒状
（１４）外ケース
（１５）外面
（１６）第１突起部
（１７）内面
（１８）第２突起部
（１９）内面
（２０）第３突起部
（２１）第１片
（２２）第２片
（２３）第３片
（２４）消しゴム用容器付き消しゴム
（２５）消しゴム
（２６）閉塞
（２７）空洞
（２８）第１片
（２９）第２片
（３０）第１片
（３１）第２片
（３２）第３片
（矢印Ｊ）軸方向
（矢印Ｓ）伸長方向
（矢印Ｔ）短縮方向
（Ｇ１）寸法
（Ｇ２）寸法
（Ｇ３）寸法
（Ｕ１）寸法
（Ｕ２）寸法
（Ｕ３）寸法
（Ｕ４）寸法
【図１】
0006395278.tif 000002
【図２】
0006395278.tif 000003
【図３】
0006395278.tif 000004
【図４】
0006395278.tif 000005
【図５】
0006395278.tif 000006
【図６】
0006395278.tif 000007
【図７】
0006395278.tif 000008
【図８】
0006395278.tif 000009
【図９】
0006395278.tif 000010
【図１０】
0006395278.tif 000011
【図１１】
0006395278.tif 000012
【図１２】
0006395278.tif 000013
【図１３】
0006395278.tif 000014
【図１４】
0006395278.tif 000015
【図１５】
0006395278.tif 000016
【図１６】
0006395278.tif 000017
【図１７】
0006395278.tif 000018
【図１８】
0006395278.tif 000019
【図１９】
0006395278.tif 000020
【図２０】
0006395278.tif 000021
【図２１】
0006395278.tif 000022
【図２２】
0006395278.tif 000023
【図２３】
0006395278.tif 000024
【図２４】
0006395278.tif 000025